(57)【要約】【課題】端末全体の消費電流を低減可能な携帯電話端末を提供する。【解決手段】操作部１９の入力によって内蔵するディジタルカメラ２１を使用する機能が選択されると、ディジタルカメラ２１の機能の動作を検出した制御部１７がベースバンド信号処理部１５で管理しているセルサーチ制御状況と受信信号の測定レベルとの問合せを行う。問合せを受付けたベースバンド信号処理部１５はディジタルカメラ２１の動作検出前後のセル選択情報と受信信号レベルとを比較し、いくつかの同じセルを同等のレベルで掴んでいると判定した場合、携帯電話端末１の保有者が静止または低速移動を行っていると判断し、セル検出部１６のセルサーチ間隔及び受信部１３の受信回路の動作間隔を長くする制御、または停止させる制御に切替える。【選択図】　　　図１【特許請求の範囲】
【請求項１】
ディジタルカメラの内蔵及び外付けのうちの少なくとも一方が可能な携帯電話端末であって、前記ディジタルカメラの使用モードを検出する検出手段と、その検出結果に応じて信号待ち受け時の無線回路の動作を変更する変更手段とを有することを特徴とする携帯電話端末。
【請求項２】
選択可能なセル及び受信レベルの測定を行うセル検出手段を含み、
前記変更手段は、前記検出手段で前記ディジタルカメラの使用モードが検出された時に前記ディジタルカメラの動作前後におけるセル検出結果を比較した結果に基づいて前記セル検出手段の動作変更を行うことを特徴とする請求項１記載の携帯電話端末。
【請求項３】
前記ディジタルカメラの動作状態と前記セルの変化とを確認することで、前記ディジタルカメラ及び前記無線回路のいずれを優先させるのかを判断することを特徴とする請求項２記載の携帯電話端末。
【請求項４】
前記セル検出手段は、前記ディジタルカメラの動作前後におけるセル検出結果の比較結果から静止及び低速移動のいずれかと判断した時に前記セルのサーチ間隔及び受信回路の動作間隔を長くする制御と前記セルのサーチ及び前記受信回路の動作の停止とのうちの少なくとも一方を行うようにしたことを特徴とする請求項２または請求項３記載の携帯電話端末。
【請求項５】
ＣＤＭＡ（Ｃｏｄｅ　Ｄｉｖｉｓｉｏｎ　ＭｕｌｔｉｐｌｅＡｃｃｅｓｓ）方式を用いることを特徴とする請求項１から請求項４のいずれか記載の携帯電話端末。
【請求項６】
ディジタルカメラの内蔵及び外付けのうちの少なくとも一方が可能な携帯電話端末の電力制御方法であって、前記ディジタルカメラの使用モードを検出するステップと、その検出結果に応じて信号待ち受け時の無線回路の動作を変更するステップとを有することを特徴とする電力制御方法。
【請求項７】
前記無線回路の動作を変更するステップは、前記ディジタルカメラの使用モードが検出された時に前記ディジタルカメラの動作前後におけるセル検出結果を比較した結果に基づいて、選択可能なセル及び受信レベルの測定を行うセル検出手段の動作変更を行うことを特徴とする請求項６記載の電力制御方法。
【請求項８】
前記ディジタルカメラの動作状態と前記セルの変化とを確認することで、前記ディジタルカメラ及び前記無線回路のいずれを優先させるのかを判断することを特徴とする請求項７記載の電力制御方法。
【請求項９】
前記セル検出手段は、前記ディジタルカメラの動作前後におけるセル検出結果の比較結果から静止及び低速移動のいずれかと判断した時に前記セルのサーチ間隔及び受信回路の動作間隔を長くする制御と前記セルのサーチ及び前記受信回路の動作の停止とのうちの少なくとも一方を行うようにしたことを特徴とする請求項７または請求項８記載の電力制御方法。
【請求項１０】
ＣＤＭＡ（Ｃｏｄｅ　Ｄｉｖｉｓｉｏｎ　Ｍｕｌｔｉｐｌｅ　Ａｃｃｅｓｓ）方式を用いることを特徴とする請求項６から請求項９のいずれか記載の電力制御方法。
【請求項１１】
ディジタルカメラの内蔵及び外付けのうちの少なくとも一方が可能な携帯電話端末の電力制御方法のプログラムであって、コンピュータに、前記ディジタルカメラの使用モードを検出する処理と、その検出結果に応じて信号待ち受け時の無線回路の動作を変更する処理とを実行させるためのプログラム。
【発明の詳細な説明】
【０００１】
【発明の属する技術分野】
本発明は携帯電話端末及びそれに用いる電力制御方法並びにそのプログラムに関し、特にディジタルカメラを備える携帯電話端末に関する。
【０００２】
【従来の技術】
近年、携帯電話端末においては、ディジタルカメラを内蔵したり、あるいは外付けにすることで、ディジタルカメラで撮影した画像（静止画や動画）が電子メールにてやりとりされてきている。
【０００３】
この場合、ディジタルカメラで撮影した画像が大容量となるので、その画像のやりとりには通信速度の高速化、回線自体の大容量化が必要となる。ＣＤＭＡ（Ｃｏｄｅ　Ｄｉｖｉｓｉｏｎ　Ｍｕｌｔｉｐｌｅ　Ａｃｃｅｓｓ）方式ではこれら通信速度の高速化や回線自体の大容量化が可能なので、ＣＤＭＡ方式の携帯電話端末への普及が図られている。
【０００４】
【発明が解決しようとする課題】
上述した従来の携帯電話端末では、搭載したディジタルカメラの動作電流が端末全体の消費電流に大きく影響し、通話時間や待ち受け時間を圧迫してしまうという問題がある。
【０００５】
また、ＣＤＭＡ方式の携帯電話端末においては、セルサーチが一定の周期で実行されており、そのセルサーチ時の消費電流が待ち受け時間に大きく影響してしまうという問題がある。
【０００６】
そこで、本発明の目的は上記の問題点を解消し、端末全体の消費電流を低減することができる携帯電話端末及びそれに用いる電力制御方法並びにそのプログラムを提供することにある。
【０００７】
【課題を解決するための手段】
本発明による携帯電話端末は、ディジタルカメラの内蔵及び外付けのうちの少なくとも一方が可能な携帯電話端末であって、前記ディジタルカメラの使用モードを検出する検出手段と、その検出結果に応じて信号待ち受け時の無線回路の動作を変更する変更手段とを備えている。
【０００８】
本発明による電力制御方法は、ディジタルカメラの内蔵及び外付けのうちの少なくとも一方が可能な携帯電話端末の電力制御方法であって、前記ディジタルカメラの使用モードを検出するステップと、その検出結果に応じて信号待ち受け時の無線回路の動作を変更するステップとを備えている。
【０００９】
本発明による電力制御方法のプログラムは、ディジタルカメラの内蔵及び外付けのうちの少なくとも一方が可能な携帯電話端末の電力制御方法のプログラムであって、コンピュータに、前記ディジタルカメラの使用モードを検出する処理と、その検出結果に応じて信号待ち受け時の無線回路の動作を変更する処理とを実行させている。
【００１０】
すなわち、本発明の携帯電話端末は、内蔵しているディジタルカメラの使用モードを検出して待ち受け時の無線回路動作を変更することによって、端末全体の消費電力を低減するものである。つまり、本発明の携帯電話端末は、ディジタルカメラの動作状態を把握しながら、無線回路の制御を行うことを特徴としている。
【００１１】
より具体的に説明すると、本発明の携帯電話端末は、操作部の入力によって内蔵するディジタルカメラを使用する機能が選択されると、ディジタルカメラ機能の動作を検出した制御部がベースバンド信号処理部で管理しているセルサーチ制御状況と受信信号の測定レベルとの問合せを行う。
【００１２】
問合せを受付けたベースバンド信号処理部は、ディジタルカメラ動作の検出前後のセル選択情報と受信信号レベルとを比較し、いくつかの同じセルを同等のレベルで掴んでいると判定した場合、携帯電話端末の保有者が静止または低速移動を行っていると判断し、セル検出部のセルサーチ間隔と受信部の受信回路の動作間隔とを長くする制御に切替える。また、ベースバンド信号処理部は必要に応じて制御自体を停止させてもよい。
【００１３】
このため、本発明の携帯電話端末では、端末全体の消費電力を抑えることが可能となり、使用時間の長時間化が可能となる。よって、本発明の携帯電話端末では、ディジタルカメラ単独の使用と携帯電話端末としての使用とをユーザが意識することなく、携帯電話端末側で切替えを行い、少しでも消費する電流を低減することが可能となる。ここで、本発明の携帯電話端末にはＣＤＭＡ（Ｃｏｄｅ　Ｄｉｖｉｓｉｏｎ　Ｍｕｌｔｉｐｌｅ　Ａｃｃｅｓｓ）方式が用いられている。
【００１４】
【発明の実施の形態】
次に、本発明の実施例について図面を参照して説明する。図１は本発明の一実施例による携帯電話端末の構成を示すブロック図である。図１において、携帯電話端末１はアンテナ（ＡＮＴ）１１と、無線部１２と、ベースバンド信号処理部１５と、制御部１７と、メモリ１８と、操作部１９と、表示部２０と、ディジタルカメラ２１と、記録媒体２２とから構成されており、無線部１２は受信部１３と送信部１４とを備え、ベースバンド信号処理部１５はセル検出部１６を備えている。尚、携帯電話端末１の各部の動作はマイクロコンピュータ（以下、マイコンとする）またはＣＰＵ（図示せず）が記録媒体２２のプログラムを実行することでも実現可能である。
【００１５】
ディジタルカメラ２１は表示部２０に記された画面内容の選択や操作部１９の直接操作で使用することができる。ディジタルカメラ２１の動作管理は制御部１７が行い、無線部１２の動作管理はベースバンド信号処理部１５が行っている。ベースバンド信号処理部１５は一定の周期でセル検出部１６を動作させ、選択できるセル及び受信レベルの測定を行っている。
【００１６】
操作部１９の入力によって内蔵するディジタルカメラ２１を使用する機能が選択されると、ディジタルカメラ２１の機能の動作を検出した制御部１７がベースバンド信号処理部１５で管理しているセルサーチ制御状況と受信信号の測定レベルとの問合せを行う。
【００１７】
問合せを受付けたベースバンド信号処理部１５はディジタルカメラ２１の動作検出前後のセル選択情報と受信信号レベルとを比較し、いくつかの同じセルを同等のレベルで掴んでいると判定した場合、携帯電話端末１の保有者が静止または低速移動を行っていると判断し、セル検出部１６のセルサーチ間隔及び受信部１３の受信回路の動作間隔を長くする制御、または停止させる制御に切替える。
【００１８】
このため、携帯電話端末１全体の消費電力を抑えることができ、使用時間の長時間化を図ることができる。尚、携帯電話端末１にはＣＤＭＡ（Ｃｏｄｅ　Ｄｉｖｉｓｉｏｎ　Ｍｕｌｔｉｐｌｅ　Ａｃｃｅｓｓ）方式が用いられている。
【００１９】
図２は図１の携帯電話端末１の操作画面例を示す図である。図２においては、携帯電話端末１のディジタルカメラ２１の操作画面を示しており、その操作画面としては静止画撮影モードと、動画撮影モードと、ＴＶ（テレビ）電話モードとがある。
【００２０】
携帯電話端末１の保有者が操作部１９を操作してディジタルカメラ２１の機能を起動した時、制御部１７がディジタルカメラ２１の動作を検出し、ベースバンド信号処理部１５に通知を行う。
【００２１】
また同時に、ディジタルカメラ２１の動作検出前及び検出後のセル選択比較の問合せを行う。セル選択の問合せを受けたベースバンド信号処理部１５はディジタルカメラ２１の動作前のセルサーチ状況とディジタルカメラ２１の動作後のセルサーチ状況とを比較し、セル検出部１６が選択しているセル情報の変化状況を確認して判定する。
【００２２】
ここで、変化なしと判定した場合、ベースバンド信号処理部１５は選択セル情報をメモリ１８に保存し、セル検出部１６の動作を停止させる。また、変化有りと判定した場合、ベースバンド信号処理部１５はセル検出部１６の制御を通常動作のままとする。
【００２３】
図３は本発明の一実施例による携帯電話端末１の動作を示すフローチャートであり、図４は図１のベースバンド信号処理部１５の動作を示すフローチャートである。これら図１〜図４を参照して携帯電話端末１の動作について説明する。ここで、図３及び図４に示す処理はマイコンまたはＣＰＵが記録媒体２２のプログラムを実行することによっても実現可能である。
【００２４】
まず、ディジタルカメラ２１の機能選択時の動作について説明する。この場合、携帯電話端末１の保有者が図２に示す操作画面が表示されている表示部２０を確認しながら、操作部１９の操作でディジタルカメラ２１を動作させるものとする。
【００２５】
例えば、図２における静止画撮影モードを選択すると、制御部１７はディジタルカメラ２１の動作を開始させ（図３ステップＳ１）、ＴＶ電話モード以外を選択したと判断すると（図３ステップＳ２）、ベースバンド信号処理部１５にセルサーチ情報の確認を要求する（図３ステップＳ３）。また、制御部１７はＴＶ電話モードを選択したと判断すると（図３ステップＳ２）、ベースバンド信号処理部１５に何も要求しないで動作を終了する。
【００２６】
ベースバンド処理部１５は制御部１７からセルサーチ確認要求を受けると、セル状況確認を開始し（図４ステップＳ１１）、セル検出部１６で測定したディジタルカメラ２１の動作直前の選択セル情報と測定レベルとをベースバンド処理部１５内部の記憶部（図示せず）からロードし（図４ステップＳ１２）、比較の準備に入る。
【００２７】
ベースバンド処理部１５はディジタルカメラ２１の動作直後のセル検出部１６の動作時における選択セル情報と測定レベルとが、ロードしたディジタルカメラ２１の動作直前の測定結果とほぼ等しい値であるかを判定し（図４ステップＳ１３）、違っていれば、携帯電話端末１の保有者が一定の速度以上で移動しているものと判断する。この時、ベースバンド信号処理部１５はセル検出部１６に対して制御変更をかけずに、確認動作を終了する。
【００２８】
また、ベースバンド処理部１５はディジタルカメラ２１の動作直前の測定結果とほぼ等しい値と判定すると（図４ステップＳ１３）、一定の速度以下での移動または静止状態であると判断し、セル選択情報確認結果を制御部１７を通してメモリ１８に保存する（図４ステップＳ１４）。その後、ベースバンド処理部１５は今まで一定の周期で制御していたセル検出部１６の動作周期を変更し（図４ステップＳ１５）、セルサーチを停止させる。
【００２９】
ベースバンド信号処理部１５によって停止命令を受けたセル検出部１６は、ディジタルカメラ２１の動作停止を検出した制御部１７の通知によって動作を復帰する。復帰する場合、セル検出部１６は停止直前にメモリ１８に保存されたデータを利用してセルサーチを開始する。
【００３０】
このように、本実施例では、ディジタルカメラ２１の動作前後のセル選択結果が等しい場合、ディジタルカメラ２１による画像撮影を優先して携帯電話端末１の保有者が静止していると判断し、この判断に基づいてセル検出部１６の動作を停止することによって、セル検出部１６の動作を停止させ、携帯電話端末１の全体の消費電流を低減することができる。
【００３１】
尚、本実施例では、ディジタルカメラ２１の動作状態及びセル検出結果の確認からセル検出部１６の動作を停止させているが、セル検出部１６の動作を停止させるのではなく、セルサーチ周期を間引くといった制御も実施可能である。
【００３２】
また、セル検出部１６の制御だけではなく、ディジタルカメラ２１の撮影モード　（静止画／　動画）使用時でかつセル選択結果に差異が認められない時に限って、無線回路並びにベースバンド信号処理部１５の電源を落としたり、スタンバイモードに移行させることも有効である。
【００３３】
【発明の効果】
以上説明したように本発明は、ディジタルカメラの内蔵及び外付けのうちの少なくとも一方が可能な携帯電話端末において、ディジタルカメラの使用モードを検出し、その検出結果に応じて信号待ち受け時の無線回路の動作を変更することによって、端末全体の消費電流を低減することができるという効果が得られる。
【図面の簡単な説明】
【図１】本発明の一実施例による携帯電話端末の構成を示すブロック図である。
【図２】図１の携帯電話端末の操作画面例を示す図である。
【図３】本発明の一実施例による携帯電話端末１の動作を示すフローチャートである。
【図４】図１のベースバンド信号処理部の動作を示すフローチャートである。
【符号の説明】
１　携帯電話端末
１１　アンテナ
１２　無線部
１３　受信部
１４　送信部
１５　ベースバンド信号処理部
１６　セル検出部
１７　制御部
１８　メモリ
１９　操作部
２０　表示部
２１　ディジタルカメラ
２２　記録媒体
【図１】
2004032338.tif 000002
【図２】
2004032338.tif 000003
【図３】
2004032338.tif 000004
【図４】
2004032338.tif 000005